(57)【特許請求の範囲】
【請求項１】
複数のガスメータによって計測されたガス流量を積算して表示するガスメータ用表示装置であって、
複数のガスメータにそれぞれ備えられ、ガスメータによって計測されたガス流量に応じたパルス数の計測信号を出力する発信器と、
各発信器から出力された前記ガス使用量に応じた計測信号を、基準となる流量／パルス比の積算用計測信号にそれぞれ換算するための換算データを記憶するメモリと、
前記メモリに記憶された前記換算データを用いて、各発信器からの計測信号をそれぞれ個別に積算用計測信号に換算したあと、積算してガス使用量を算出し、その他のガスメータ関連情報とともに、前記メモリに記憶する制御手段と、
前記メモリに記憶される前記ガス使用量およびその他のガスメータ関連情報を、所定の表示操作によって選択的に表示する表示手段とを含むことを特徴とするガスメータ用表示装置。
【請求項２】
前記ガス使用量は、少なくとも、表示操作したときまでの各ガスメータのガス使用量の合計である全日使用量と、表示操作したときまでの１日のうちの所定の時間帯のガス使用量の合計である所定時間帯使用量とを含むことを特徴とする請求項１記載のガスメータ用表示装置。
【請求項３】
前記ガス使用量は、少なくとも、表示操作したときまでの各ガスメータのガス使用量の合計である全日使用量と、表示操作したときまでの予め定める一定時間内での最大のガス使用量である最大使用量とを含むことを特徴とする請求項１記載のガスメータ用表示装置。
【発明の詳細な説明】
【０００１】
【発明の属する技術分野】
本発明は、計測したガス流量を電気信号として出力する発信器を備える膜式ガスメータ、ルーツガスメータ、およびタービンガスメータのガス使用量、およびその他のガスメータ関連情報を選択的に表示することができるガスメータ用表示装置に関する。
【０００２】
【従来の技術】
たとえば工場の敷地内に広範囲にわたって複数のガスメータが備えられている場合がある。このような場合、工場全体でのガス使用量を求めるには、検針者が各ガスメータのカウンタまたはガスメータに接続されるガスメータ用表示装置をそれぞれ検針し、積算することによって求める。
【０００３】
【発明が解決しようとする課題】
このような従来のガスメータおよびガスメータ用表示装置では、検針者が広い敷地内を回って各ガスメータのガス使用量をそれぞれ検針する必要があり、多くの労力を必要とする。また、工場全体でのガス使用量は検針した各ガス使用量を積算しなければならない。このような実状から、複数のガスメータのガス使用量の積算値を表示することができるガスメータ用表示装置の実現が望まれている。
【０００４】
本発明の目的は、複数のガスメータのガス使用量の積算値を表示することができるガスメータ用表示装置を提供することである。
【０００５】
【課題を解決するための手段】
請求項１記載の本発明は、複数のガスメータによって計測されたガス流量を積算して表示するガスメータ用表示装置であって、
複数のガスメータにそれぞれ備えられ、ガスメータによって計測されたガス流量に応じたパルス数の計測信号を出力する発信器と、
各発信器から出力された前記ガス使用量に応じた計測信号を、基準となる流量／パルス比の積算用計測信号にそれぞれ換算するための換算データを記憶するメモリと、
前記メモリに記憶された前記換算データを用いて、各発信器からの計測信号をそれぞれ個別に積算用計測信号に換算したあと、積算してガス使用量を算出し、その他のガスメータ関連情報とともに、前記メモリに記憶する制御手段と、
前記メモリに記憶される前記ガス使用量およびその他のガスメータ関連情報を、所定の表示操作によって選択的に表示する表示手段とを含むことを特徴とするガスメータ用表示装置である。
【０００６】
本発明に従えば、各ガスメータで計測されたガス流量は、計測信号として各発信器から制御手段に入力される。入力された計測信号は、基準となる流量／パルス比の積算用計測信号にそれぞれ換算したあと、積算してガス使用量が算出され、その他のガスメータ関連情報とともにメモリに記憶される。メモリに記憶されたガス使用量およびガスメータ関連情報は所定の表示操作によって選択的に表示手段に表示される。したがって、ガスメータが複数の離れた場所に配置されていたとしても、各ガスメータ毎の積算値を積算した合計値であるガス使用量が本発明のガスメータ用表示装置によって表示することができ、複数の各ガスメータを個別に検針し、各ガスメータのガス使用量の合計値を検針者が積算して求めるといった労力と手間が省かれる。
【０００７】
また、各発信器から入力した計測信号は、メモリに記憶された換算データを用いて基準となる積算用計測信号に換算されてから積算されるので、たとえば大形ガスメータと小形ガスメータとの違いなどによって、１パルス当たりのガス流量が異なっていたとしても、１パルス当たりのガス流量が等価である積算用計測信号に換算した後に積算することによって、各ガスメータ毎のガス使用量の合計であるガス使用量を正確に算出することができる。
【０００８】
請求項２記載の本発明の前記ガス使用量は、少なくとも、表示操作したときまでの各ガスメータのガス使用量の合計である全日使用量と、表示操作したときまでの１日のうちの所定の時間帯のガス使用量の合計である所定時間帯使用量とを含むことを特徴とする。
【０００９】
本発明に従えば、ガス使用量は全日使用量と所定時間帯使用量とを含む。したがって、所定の表示操作によって選択的に全日使用量を表示手段に表示させることによって、この表示操作したときまでの各ガスメータのガス使用量の積算値を表示することができる。また１日のうちの所定時間帯、たとえば夜間のガス使用量を表示させる場合には、たとえば内部のカレンダ機能を利用して算出し、所定の表示操作によって表示手段に表示させることができる。このようにして検針者が別途に算出することなく、所定時間帯使用量を全日使用量とともに表示することができ、使い勝手が向上する。
【００１０】
請求項３記載の本発明の前記ガス使用量は、少なくとも、表示操作したときまでの各ガスメータのガス使用量の合計である全日使用量と、表示操作したときまでの予め定める一定時間内での最大のガス使用量である最大使用量とを含むことを特徴とする。
【００１１】
本発明に従えば、ガス使用量は全日使用量と最大使用量とを含む。したがって、所定の表示操作によって選択的に全日使用量を表示手段に表示させることによって、この表示操作したときまでの各ガスメータのガス使用量の積算値を表示することができる。また予め定める一定時間、たとえば１時間での最大のガス使用量も、所定の表示操作によって表示手段に最大使用量として表示することができる。このようにして検針者が別途に算出することなく、最大使用量を全日使用量とともに表示することができ、使い勝手が向上する。
【００１２】
【発明の実施の形態】
図１は、本発明の実施の一形態であるガスメータ用表示装置１の使用状態を示す正面図である。ガスメータ用表示装置１はガスメータ２の正面に取付けられる。ガスメータ２は、計測したガス流量に応じたパルス数の計測信号を出力する発信器３を有し、ガスメータ用表示装置１には、前記ガスメータ２の発信器３から接続ケーブル１６を介して計測信号が入力されるとともに、他の複数、本実施形態では３つのガスメータ４，５，６の各発信器からそれぞれ接続ケーブル４ａ，５ａ，６ａを介して各ガスメータ４〜６が計測した計測信号が入力される。
【００１３】
図２は、カバー２１が取外されたガスメータ用表示装置１の正面図であり、図３はカバー２１が取外されたガスメータ用表示装置１の底面図である。なお図２では図解の便宜のため、各ガスメータ４〜６に接続される接続ケーブル４ａ，５ａ，６ａは省略してあり、ガスメータ用表示装置１が取付けられるガスメータ２からの接続ケーブル１６のみ図示してあり、図３では全ての接続ケーブル１６，４ａ，５ａ，６ａを省略して示してある。
【００１４】
ガスメータ用表示装置１の正面には、たとえば液晶表示素子から成る表示手段７の表示画面９が設けられ、この表示画面９の右下に変更スイッチＳＷ１および表示スイッチＳＷ２が設けられる。またガスメータ用表示装置１の底部には、図２において左方に切換手段２２が、キー挿入口２６を下方に臨んで設けられ、同様にガスメータ用表示装置１の底部の図２における右方にはクリアスイッチ接続口２３が下方に臨んで設けられる。このクリアスイッチ接続口２３には通常接続口カバー２４が着脱可能に螺着され、この接続口カバー２３にはチェーン２５の一端が連続され、チェーン２５の他端はカバー２１の底部に連結される。したがって、カバー２１をガスメータ用表示装置１から取外したときにカバー２１がガスメータ用表示装置１から落下するといったことが防がれる。
【００１５】
カバー２１をガスメータ用表示装置１から離脱させると、入力１〜入力４に対応する第１〜第４入力端子１０，１１，１２，１３および出力１、出力２に対応する第１，第２出力端子１４，１５が現れる。各端子１０〜１５はそれぞれ導電性のねじ部材を有する３つの接続端子Ａ，Ｂ，Ｃを有する。
【００１６】
ガスメータ２の発信器３に接続される接続ケーブル１６は、３芯ケーブルから成り、各ケーブル１６ａ，１６ｂ，１６ｃが入力１である第１入力端子１０の各接続端子Ａ，Ｂ，Ｃにそれぞれ接続される。各ケーブル１６ａ，１６ｂ，１６ｃの先端にはＹ字状または丸状に分岐した接続片がそれぞれ電気的に接続され、各接続片を接続端子Ａ，Ｂ，Ｃのねじ部材で挟持して締付けることによってガスメータ用表示装置１とガスメータ２の発信器３とが接続される。同様に、ガスメータ４〜６の接続ケーブル４ａ，５ａ，６ａも第２，第３および第４入力端子１１，１２，１３にそれぞれ接続される。
【００１７】
ガスメータ２に設けられるカウンタ８は、０〜９の数字が記載された複数の表示リールを有し、これらの表示リールによってガスメータ２が計量したガス流量が表示される。これらの表示リールのうち、最下位の表示リールには一対または複数対の永久磁石片のＮ極とＳ極とが交互に周方向に並置される磁石リールが連結され、前記表示リールの回転とともに磁石リールが回転駆動することになる。このようなカウンタ８に隣接して設けられる発信器３には、たとえばリードスイッチなどの磁気検出器が設けられ、この磁気検出器は前記磁石リールの回転に応じてスイッチング対応が切換わり、計測信号を出力する。
【００１８】
磁気検出器はたとえば大形ガスメータと、小形および中形ガスメータとで異なり、これによって出力する計測信号も異なるので、発信器からの計測信号は制御手段３０によって共通な第１基準信号にまず変換される。大形ガスメータに設けられる磁気検出器は磁石リールのＮ極、Ｓ極およびこれらの中間に対応する３つのレベルの計測信号を出力する。このような大形ガスメータに設けられる磁気検出器の出力パルス形状は図４（１）に示してある。
【００１９】
各入力端子１０〜１３の各接続端子Ａ，Ｂ，Ｃのうち、接続端子Ａ，Ｃ間および接続端子Ｂ，Ｃ間に発信器３から計測信号が入力され、たとえば磁石リールのＮ極に関しては、接続端子Ａ，Ｃ間に信号が入力され、磁石リールのＳ極に関しては、接続端子Ｂ，Ｃ間に計測信号が入力され、磁石リールのＮ極とＳ極の中間に関しては、接続端子Ａ，Ｃ間およびＢ，Ｃ間のいずれにも計測信号が入力されない状態となる。これらの各接続端子Ａ〜Ｃから計測信号が入力される制御手段３０は、接続端子Ａ，Ｃ間および接続端子Ｂ，Ｃ間に計測信号が入力されて１パルスの第１基準信号が入力されたと判断する。また、磁石リールが回転することによって接続端子Ａ，Ｃ間に計測信号が入力される瞬間から、接続端子Ａ，Ｃ間および接続端子Ｂ，Ｃ間のどちらにも計測信号が入力されない状態を経て接続端子Ｂ，Ｃ間に計測信号が入力された瞬間までの時間Ｗ１ａは、５００ｍｓｅｃ以上に選ばれ、接続端子Ａ，Ｃ間および接続端子Ｂ，Ｃ間に計測信号が入力される時間Ｗ２ａは、１５０ｍｓｅｃ以上に選ばれる。このように選ぶことによって、ノイズなどによって誤作動するといったことが防がれる。
【００２０】
また小形および中形ガスメータに備えられる磁気検出器は、Ｎ極およびＳ極のいずれかに対応する２つのレベルの計測信号を出力し、このような磁気検出器の出力波形は図４（２）に示される。各ケーブルは接続端子Ａ、接続端子Ｂおよび接続端子Ｃとに接続され、磁石リールのＮ極に関しては、磁気検出器は接続端子Ａ，Ｃ間に計測信号を入力し、磁石リールのＳ極に関しては、磁気検出器は接続端子Ｂ，Ｃ間に計測信号を入力し、制御手段３０は接続端子Ａ，Ｃ間および接続端子Ｂ，Ｃ間に計測信号が入力されたときに１パルスの第１基準信号が入力されたと判断する。また、接続端子Ａ，Ｃ間に計測信号が入力される瞬間から接続端子Ｂ，Ｃ間に計測信号が入力され、引続き接続端子Ａ，Ｃ間に信号が入力される瞬間までの時間Ｗ１ｂは５００ｍｓｅｃ以上に選ばれ、接続端子Ａ，Ｃ間および接続端子Ｂ，Ｃ間に計測信号が入力される時間Ｗ２ｂは１５０ｍｓｅｃ以上に選ばれる。これによってノイズなどによって誤作動するといったことが防がれる。また、ガスメータ用表示装置１は、各入力端子１０〜１３に図４（１）および図４（２）のどちらのパルス形状が入力されるか予め設定されている。
【００２１】
図５は、ガスメータ用表示装置１の電気的構成を示すブロック図である。ガスメータ用表示装置１の制御手段３０は、ＣＰＵ（中央演算処理装置）などによって実現される信号処理回路３１およびＥＥＰ−ＲＯＭ（electrically erasableprogrammable read only memory）などの不揮発性のメモリ３２とを有する。
【００２２】
制御手段３０の信号処理回路３１には、各ガスメータ２，４〜６の各発信器３から、ガス流量に応じたパルス数の計測信号が入力され、入力された計測信号は、上述したように第１基準信号にまず変換される。メモリ３２には、前記第１基準信号を、基準となる流量／パルス比の積算用計測信号にそれぞれ換算するための換算データが記憶され、信号処理回路３１は、メモリ３２に記憶された前記換算データを用いて各発信器３からの計測信号を積算用計測信号に換算した後、積算してガス使用量を算出し、その他のガスメータ関連情報とともにメモリ３２に記憶する。また信号処理回路３１には、変更スイッチＳＷ１、表示スイッチＳＷ２、切換手段２２およびクリアスイッチ接続口２３が接続され、前記表示スイッチＳＷ２を操作することによってメモリ３２に記憶されたガス使用量、およびその他のガスメータ関連情報を表示手段７の表示画面９に表示することができる。
【００２３】
図６は、制御手段３０が各ガスメータ２，４〜６からの第１基準信号を処理する手順を示す図である。この図６を参照しながら信号処理回路３１の信号処理の手順を説明する。信号処理回路３１は、各ガスメータ２，４〜６からの第１基準信号を積算してガス使用量を求めるが、たとえば大形ガスメータ、中形ガスメータおよび小形ガスメータで１パルス当たりのガス流量である入力パルス単位が異なる場合があり、この場合にはこれらを等価のパルスに換算する必要がある。またガスメータに供給されるガス圧は通常低圧であるが、低圧よりも高い中間圧のガス圧が供給されるガスメータもあり、この場合にも等価のパルスとなるように中間圧補正を行う必要がある。また、入力されるパルス数が多い場合、たとえば１時間当たりに１０００パルスを越える計測パルスが入力される場合には、１０パルスまたは１００パルスを１パルスとして換算して、入力されるパルス数を１時間当たり１０００パルス以内に抑える場合がある。このように換算する比を分周比という。
【００２４】
以上のように入力パルス単位、分周比および供給されるガス圧が異なる場合には、基準となる流量／パルス比の積算用計測信号に換算した後に積算する必要がある。
【００２５】
積算用計測信号の１パルス当たりのガス流量が等しいので、このガス流量を表示手段７での使用量表示時の最小桁のガス流量に選ぶことによって、各ガスメータからの積算用計測信号を合計して積算した値に前述の最小桁を掛合わせて表示することによって、ガス使用量を表示することができる。
【００２６】
したがって、まず各ガスメータの入力パルス単位と分周比とから各ガスメータ毎のガス使用量の最小桁を求め、この各ガスメータ毎のガス使用量の中から最も小さい値を選んで使用量表示時の最小桁を決定し、これらの値から、第１基準信号が分周されて入力された入力パルス信号を、中間圧補正をしない場合の積算用計測信号である第２基準信号に換算する入力分周換算データを求める。この入力分周換算データは、（各ガスメータ毎のガス使用量の最小桁）／（使用量表示時の最小桁）から求められる。入力分周換算データから得られた第２基準信号に、中間圧補正値である圧力換算データを掛合わせることによって積算用基準信号が得られる。
【００２７】
したがって、第１基準信号が分周されて入力された入力パルス信号を積算用基準信号に換算する換算データは、入力分周換算データおよび圧力換算データから成る。
【００２８】
たとえばｐ1：入力１の入力パルス単位
ｄ1：入力１の分周比
ｅ1：入力１の入力分周換算データ
ｐ2：入力２の入力パルス単位
ｄ2：入力２の分周比
ｅ2：入力２の入力分周換算データ
ｐ3：入力３の入力パルス単位
ｄ3：入力３の分周比
ｅ3：入力３の入力分周換算データ
ｐ4：入力４の入力パルス単位
ｄ4：入力４の分周比
ｅ4：入力４の入力分周換算データとし、
ｐ1＝１ｍ3、ｄ1＝１／１０、ｐ2＝１０ｍ3、ｄ2＝１／１０、ｐ3＝１ｍ3、ｄ3＝１／１００、ｐ4＝１０ｍ3、ｄ4＝１／１００のとき、各ガスメータ毎のガス使用量の最小桁ｕ1，ｕ2，ｕ3，ｕ4は、
ｕ1＝ｐ1／ｄ1＝１ｍ3／（１／１０）＝１０ｍ3
ｕ2＝ｐ2／ｄ2＝１０ｍ3／（１／１０）＝１００ｍ3
ｕ3＝ｐ3／ｄ3＝１ｍ3／（１／１００）＝１００ｍ3
ｕ4＝ｐ4／ｄ4＝１０ｍ3／（１／１００）＝１０００ｍ3
ｕ2＝ｕ3、ｕ1＜ｕ2＜ｕ4となり、
ｕ1が１番小さく１０ｍ3なので、使用量表示時の最小桁は１０ｍ3で表示パルス単位は〔×１０ｍ3〕となる。
【００２９】
したがって各入力分周換算データは、
ｅ1＝ｕ1／１０＝１
ｅ2＝ｕ2／１０＝１０
ｅ3＝ｕ3／１０＝１０
ｅ4＝ｕ4／１０＝１００となる。
【００３０】
このようにして得られた各入力分周換算データｅ1〜ｅ4を用いて各ガスメータ２，４〜６からの第１基準信号を第２基準信号に変換し、さらに各第２基準信号を圧力換算データである中間圧補正値を掛合わせて積算用計測信号に換算する。このようにして得られた積算用計測信号をそれぞれ信号処理回路３１でパルス合成することによって積算し、さらにデータ演算することによって全日使用量、夜間使用量および最大使用量などのガス使用量が得られ、このガス使用量はメモリ３２に記憶される。また表示スイッチＳＷ２を操作することによってメモリ３２に記憶されたガス使用量は表示手段７の表示画面９に表示される。
【００３１】
また入力１に対応する第１入力端子１０に入力されるガスメータ２の計測信号は信号処理回路３１に入力されるとともに、出力１に対応する第１出力端子１４にも分岐し、この第１出力端子１４からガスメータ２の計測信号を取出すことができる。またガスメータ２，４〜６からの信号を信号処理回路３１によって合成して得られた信号は、データ演算されるとともに、第２出力端子１５にも分岐し、この第２出力端子１５から各ガスメータ２，４〜６の合成パルスを取出すことができる。
【００３２】
図７は、ガス使用量の全日使用量の表示状態を示す図である。図７（１）は、最小桁が０．１ｍ3である場合の全日使用量の表示状態を示す図であり、図７（２）は最小桁が１ｍ3である場合の全日使用量の表示状態を示す図であり、図７（３）は最小桁が１０ｍ3である場合の全日使用量の使用状態を示す図であり、図７（４）は最小桁が１００ｍ3である場合の全日使用量の表示状態を示す図である。このようにガス使用量は最小桁に応じて表示時の表示が異なり、使い勝手が向上される。
【００３３】
ガス使用量は、全日使用量、所定期間使用量である夜間使用量および最大使用量から成り、ガスメータ関連情報は、年月日時刻、分周比、入力パルス単位、中間圧補正値、電池電圧低下および自動復帰情報などを有する。また、夜間使用量および最大使用量は制御手段３０に備えられるカレンダ機能を利用して算出される。
【００３４】
図８は、表示スイッチＳＷ２の表示切換操作によって表示画面９に表示される表示内容を示す図である。表示手段７は、通常バックライトが消灯し何も表示されていないが、表示スイッチＳＷ２を押すと、バックライトが点灯し、時刻および年月日が表示される。この状態で引続き表示スイッチＳＷ２を押すと全日使用量が表示され、さらに表示スイッチＳＷ２を押すと夜間使用量が表示され、さらに表示スイッチＳＷ２を押すと最大使用量が表示される。最大使用量とは、予め定める一定時間、たとえば１時間の最大ガス使用量を示し、本実施形態では正時から正時までの１時間毎の使用量の最大値を示す。したがってスタート直後はスタート時刻から正時までの１時間未満の使用量となる。全日使用量、夜間使用量および最大使用量はそれぞれ現在、すなわち表示スイッチＳＷ２を押したときまでの値を表示する。バックライトが点灯し、表示画面９に各表示内容が表示された状態で、１５秒経過すると、自動的に終了してバックライトが消灯する。
【００３５】
図９は、切換手段２２の切換状態を示す正面図である。切換手段２２は、メモリ３２に記憶された内部データのうち、ガス使用量の消去が可能な状態、換算データおよびガスメータ関連情報などの内部データの設定が可能な状態、および前記消去および設定を禁止した状態のいずれかの対応に切換えることが可能であり、このような切換動作は所定のキー３５を切換手段２２のキー挿入口２６に挿入して行われ、切換手段２２は通常、消去および設定を禁止した挿入位置でキー３５が離脱した状態にあり、誤動作やいたずらなどによって内部データの消去および設定を行えない状態に保持される。
【００３６】
図９（１）に示されるように、切換手段２２のキー挿入口２６に所定のキー３５を挿入することによって、切換手段２２の切換動作の阻止状態が解除された状態となる。この挿入位置では、切換手段２２は内部データの消去および設定を禁止した状態であり、図９（２）に示されるようにキー３５を左（図９において反時計回り）に回転させて消去位置に切換えることによって、内部データの消去が可能な状態に切換わる。また図９（３）に示されるように、挿入されたキー３５を挿入位置よりも右（図９において時計回り）に回転させて設定位置に切換えることによって、切換手段２２は内部データの設定可能な状態に切換わる。なお、図９（２）および図９（３）に示される消去および設定位置ではキー３５は離脱することができず、キー３５を離脱させるには、図９（１）に示される挿入位置にキー３５を回し戻して引抜く必要がある。これによって、切換手段２２が内部データの消去および設定が可能な状態に保持されるといったことが防がれる。
【００３７】
図１０は、換算データ、ガスメータ関連情報およびガス使用量の初期値などの内部データの設定順序を示す図である。これらの設定を行うには、まずキー３５によって切換手段２２を設定位置に切換え、図１０に示されるようにまず年月日時刻の設定を行い、引続き全日使用量の設定、入力パルス単位の設定、分周比の設定、中間圧補正値の設定、夜間時間帯開始時刻の設定および夜間時間帯終了時刻の設定を順に行う。次の各図１１〜図１６で、各設定手順を示す。
【００３８】
図１１は、年月日時刻の設定手順を示す図である。キー３５を設定位置に切換えると表示画面９に年月日および時刻が表示され、年月日の「年」の上２桁が点滅する。まずこの「年」表示の上２桁の数字を変更スイッチＳＷ１を押して変更する。この際、変更スイッチＳＷ１を押す毎に数字は「１９」と「２０」を繰返し表示する。このようにして設定すべき数字を選択した後、表示スイッチＳＷ２を押すと決定され、下２桁の設定へ移る。下２桁の数字は、変更スイッチＳＷ１を押す毎に１増加し、このようにして下２桁の数字を選んだ後、表示スイッチＳＷ２を押すと決定され、次桁の「月」の設定へ移る。「月」の設定も同様に、変更スイッチＳＷ１によって選択して表示スイッチＳＷ２によって決定する。以下同様に「日」「時」および「分」を順に設定する。「分」の設定終了後、表示スイッチＳＷ２を押すと全日使用量の初期値の設定に移る。なお、「年」の上位２桁以外の項目は、変更スイッチＳＷ１を押続けると数字を早送りすることができ、効率よく設定を行うことができる。
【００３９】
図１２は、全日使用量の初期値の設定手順を示す図である。全日使用量の初期値は、たとえばガスメータ２のカウンタ８の積算値に合わせる必要がある場合に設定する。全日使用量の設定は、最上位桁から１桁ずつ設定を行う。最上位桁の設定は、変更スイッチＳＷ１を押す毎に数字が１増加し、これによって数字を選択した後、表示スイッチＳＷ２を押すと数字が決定され次桁の設定へ移る。以上の操作を繰返して全桁を設定し、最下位桁の設定終了後、表示スイッチＳＷ２を押すと入力パルス単位の設定に移る。なお変更スイッチＳＷ１を押続けると、数字を早送りすることができる。
【００４０】
図１３は、第１基準信号１パルス当たりのガス流量である入力パルス単位の設定手順を示す図である。入力パルス単位の設定は、まず入力１から設定を行う。表示画面９には、「パルス単位」と入力１を示す「ｃｈ．１」が表示されるとともに、設定値が表示される。設定値は変更スイッチＳＷ１を押す毎に、０，１，１，１０，１００を順次表示し、これによって設定したい値を表示させた後、表示スイッチＳＷ２を押して決定する。以上の操作を繰返して入力２〜入力４の全ての入力パルス単位の設定を行う。入力４の設定終了後、表示スイッチＳＷ２を押すと分周比の設定に移る。なお、設定操作時の設定値は数字のみを表示し、単位は〔ｍ3／パルス〕である。
【００４１】
図１４は、分周比の設定手順を示す図である。分周比の設定は、入力１から行う。表示画面９には「分周比」「ｃｈ．１」が表示されるととともに設定値が表示される。設定値は、変更スイッチＳＷ１を押す毎に順次１，１０，１００，１００が表示され、それぞれ１は１／１、１０は１／１０、１００は１／１００、１０００は１／１０００を意味する。このようにして設定したい値を表示させて表示スイッチＳＷ２を押して分周比を決定する。以上の操作を繰返して入力２〜入力４の全ての分周比の設定を行い、入力４の設定終了後、表示スイッチＳＷ２を押すと中間圧補正値の設定に移る。
【００４２】
図１５は、中間圧補正値の設定手順を示す図である。中間圧補正値は０．０００〜１．９９９の間で設定でき、設定はまず入力１から行う。表示画面９には、「中間圧補正値」および「ｃｈ．１」が表示されるともに、１．０００が表示され、変更スイッチＳＷ１を押す毎に整数桁の数字が「０」と「１」を繰返し表示し、これによって整数桁を選択した後、表示スイッチＳＷ２を押して決定し、入力１の小数点以下第１位の小数桁の設定へ移る。小数桁の設定は、変更スイッチＳＷ１を押す毎に１増加し、変更スイッチＳＷ１を押続けると数字が早送りされる。このようにして設定すべき小数点以下第１位の数字を表示させた後、表示スイッチＳＷ２を押すと決定され、次桁の設定へ移る。このような操作を繰返し、入力１の中間圧補正値の全桁を設定する。同様にして入力２〜入力４の設定を全て行い、入力４の最下位桁の設定終了後、表示スイッチＳＷ２を押すと夜間時間帯開始、終了時刻の設定に移る。
【００４３】
図１６は、夜間時間帯開始、終了時刻の設定手順を示す図である。一日のうちの所定の時間帯、たとえば午後５時から翌朝の午前６時までの夜間のみのガス使用量を全日使用量とは別途に表示する場合に、夜間時間帯を設定する。夜間時間帯の設定は、まず夜間帯開始時刻の「時」から設定を行う。表示画面９には「開始時刻」が表示されるとともに、「２２：００」が表示され、変更スイッチＳＷ１を押す毎に「時」の数字が１増加する。このようにして設定すべき「時」を表示した後表示スイッチＳＷ２を押すと決定され、「分」の設定に移る。「分」の設定も同様に変更スイッチＳＷ１によって設定すべき数字を表示させて、表示スイッチＳＷ２によって決定する。このようにして夜間時間帯開始時刻の「分」の設定が終わると、夜間時間帯終了時刻の設定に移る。夜間時間帯終了時刻の設定も同様に、変更スイッチＳＷ１および表示スイッチＳＷ２によって設定し、夜間時間帯終了時刻の「分」の設定を終了すると内部データの設定が完了する。また夜間時間帯終了時刻の「分」の設定終了後、表示スイッチＳＷ２を押すと再び年月日時刻の設定に移る。なお、「時」「分」の設定の際、変更スイッチＳＷ１を押し続けると、数字を早送りすることができる。
【００４４】
このようにしてガス使用量の初期値、換算データおよびガスメータ関連情報の設定が全て終了すると、キー３５を挿入位置に回し戻し、キー３５を引抜く。
【００４５】
図１７は、オールクリアの手順を示す図である。ガス使用量、すなわち全日使用量、夜間使用量および最大使用量の消去であるオールクリアを行う場合には、キー３５を切換手段２２のキー挿入口２６に挿入し、キー３５を左に回して消去位置に切換える。すると表示手段７の表示画面９にバックライトが点灯し、「全日使用量」「夜間使用量」「最大使用量」の表示とともに、「クリアしますか？」が表示されてオールクリアの確認が行われる。この状態で表示スイッチＳＷ２を押すと「クリアしますか？」の表示から「クリアしました」の表示に変わるとともにメモリ３２に記憶された全日使用量、夜間使用量および最大使用量が消去される。この後、キー３５を挿入位置に回し戻すとバックライトの消灯してオールクリアが終了する。また前述のオールクリアの確認時に、キー３５を挿入位置に回し戻すとガス使用量の消去が行われず、バックライトが消灯する。
【００４６】
図１８は、最大使用量の消去であるデータクリアの手順を示す図である。ガス使用量のうち最大使用量のみの消去であるデータクリアを行う場合には、ガスメータ用表示装置１の右下に設けられるクリアスイッチ接続口２３から接続口カバー２４を螺脱させ、このクリアスイッチ接続口２３に専用クリアスイッチ（図示せず）を接続する。専用クリアスイッチは、クリアスイッチを有し、このクリアスイッチを押すと表示画面９に最大使用量の表示とともに「クリアしますか？」が表示されてデータクリアの確認が行われる。この状態でもう一度クリアスイッチを押すと「クリアしますか？」から「クリアしました」に表示が切換わるとともに、最大使用量の値が００００ｍ3となり、最大使用量が消去される。この状態で３秒経過するとバックライトが消灯し、自動的にデータクリアが終了する。また前述のデータクリアの確認段階で、クリアスイッチを押さずに１０秒間放置すると、バックライトが消灯して自動的に終了することになる。
【００４７】
図１９は、電池電圧低下警告表示を示す図である。ガスメータ用表示装置１を駆動するための電池の電圧が低下し、たとえば２．６Ｖ以下になると図１９に示されるように表示画面９に電池電圧低下警告記号４０が点滅する。
【００４８】
図２０は、自動復帰状態の表示画面９を示す図である。何らかの障害で制御手段３０に暴走、機能停止などの異常が生じたときには、自動復帰し、この場合は図２０に示されるように表示手段７の表示画面９に、表示機能の全内容が表示されるとともにバックライトが点灯し、自動復帰状態にあることを示す。このように自動復帰したとしても、メモリ３２にはガス使用量およびその他のガスメータ関連情報が記憶されており、これらのデータが消去されることはない。
【００４９】
またたとえば内部データ設定中に長時間ガスメータ用表示装置１から離れる場合など、バックライトが点灯し続ける状態にある場合には、著しい電力の消費となる。このような状態を防ぐために、５分間変更スイッチＳＷ１または表示スイッチＳＷ２のいずれのスイッチも押されない場合は設定を中断して自動的に表示内容とバックライトを消灯する。この状態で変更スイッチＳＷ１または表示スイッチＳＷ２のいずれかのスイッチを押すと再び設定が再開し、設定操作を続けることができる。またバックライトが消灯したパワーセーブ状態で、キー３５を設定位置から挿入位置に回し戻すと、内部データは設定操作を中断したときの数値で設定される。
【００５０】
ガスメータ用表示装置１内には発信器３に内蔵される磁気検出器と同様の磁気検出器が内蔵されており、たとえば大形ガスメータにガスメータ用表示装置１を取付ける際、大形ガスメータに備えられる発信器を取外し、大形ガスメータに内蔵される磁気リールから直接ガスメータ用表示装置１内に内蔵される磁気検出器によって磁界の変化を読取り、制御手段３０に計測信号を出力するように構成してもよい。この場合には、計測信号は入力１の第１入力端子１０に入力されることとなるので、図２１に示される使用禁止札４１を第１入力端子１０に装着し、誤って入力１に外部のガスメータからケーブルが接続されないようにする。使用禁止札４１は、表面に「使用禁止」と記載され、両端に一対の挟持片４２，４３を有し、各挟持片４２，４３を第１入力端子１０の接続端子Ａ，Ｃのねじ部材で挟持する。
【００５１】
図２２は、５台のガスメータ６１，６２，６３，６４，６５のガス使用量をガスメータ用表示装置１によって表示するときの接続状態を示す正面図である。ガスメータ用表示装置１は、最大で４つのガスメータからの計測信号を積算してガス使用量およびその他のガスメータ関連情報を表示することができるが、それ以上、たとえば５台のガスメータ６１〜６５を接続する場合には、ガスメータ用表示装置１に加えて別途にガスメータ用表示装置を用い、このガスメータ用表示装置をパルス調整器６０として使用して図２２に示されるように接続する。ガスメータ用表示装置１の第２出力端子１５は、図６に関して説明したように入力１〜入力４に接続された４つのガスメータからの計測信号を積算した合成パルスを出力する。このときの出力パルスは、パルス調整器６０の使用量表示時の表示パルス単位の積算用計測信号となり、ガスメータ用表示装置１は、第１入力端子１０に前記積算用計測信号が入力されるものとして設定される。したがって、４つのガスメータ６１〜６４が接続されたパルス調整器６０の第２出力端子１５とガスメータ用表示装置１の第１入力端子１０とをケーブルで接続し、ガスメータ用表示装置１の第２入力端子１１にガスメータ６５を接続することによって、ガスメータ用表示装置１に合計５つのガスメータのガス流量の積算値を表示することができる。なおパルス調整器６０の表示画面９は使用する必要がないので、たとえば表示画面９に「パルス調整器」または「Pulse Transporter」などと記載されたシールを貼着し、パルス調整器であることを明示するようにしてもよい。
【００５２】
本実施形態のガスメータ用表示装置１は、各ガスメータのガス流量の積算値を表示するように構成されているが、これに限らず、たとえば接続される各ガスメータのガス使用量を所定の表示操作によってそれぞれ個別に表示するようにしてもよい。このような場合、たとえば表示スイッチＳＷ２を押す毎に表示画面９に「入力１」の表示と、全日使用量、夜間使用量および最大使用量が順次表示され、さらに表示スイッチＳＷ２を押すと「入力２」の表示とともに入力２の全日使用量、夜間使用量および最大使用量が順次表示され、以下入力４に至るまで順次表示されるように構成してもよい。またガスメータ用表示装置１に接続されるガスメータは最大で４機までであるが、入力端子を５またはそれ以上とすることで５またはそれ以上のガスメータを接続できるように構成してもよい。
【００５３】
【発明の効果】
請求項１記載の本発明によれば、制御手段には複数のガスメータから計測信号が入力され、この計測信号を積算してガス使用量を算出し、その他ガスメータ関連情報とともに表示手段に表示するので、ガスメータが広範囲にわたって複数設けられていたとしても、検針者は各ガスメータを回って検針し、各ガス使用量を積算する必要がなく、多くの労力と手間を省くことができる。
【００５４】
また、各発信器からの計測信号は積算用計測信号に換算した後、積算されるので、接続されるガスメータが大形または小形などの違いによって、１パルス当たりのガス流量が異なる計測信号を出力していたとしても、これらを基準となる積算用計測信号にそれぞれ換算した後に積算することによって、各ガスメータのガス流量の積算値を正確に算出することができる。
【００５５】
請求項２記載の本発明によれば、ガス使用量は全日使用量と所定時間帯使用量とを含むので、表示操作したときまでの各ガスメータのガス使用量の合計である全日使用量だけでなく、たとえば夜間など所定時間帯の使用量も表示することができる。これによって使い勝手がさらに向上される。
【００５６】
請求項３記載の本発明によれば、ガス使用量は全日使用量と最大使用量とを含むので、表示操作したときまでの各ガスメータのガス使用量の合計である全日使用量だけでなく、たとえば１時間当たりの最大使用量などの最大使用量も表示することができる。これによって所定時間帯の使用量を管理することができ、使い勝手がさらに向上される。
【図面の簡単な説明】
【図１】本発明の実施の一形態であるガスメータ用表示装置１の使用状態を示す正面図である。
【図２】カバー２１を外したガスメータ用表示装置１を示す正面図である。
【図３】カバー２１を外したガスメータ用表示装置１の底面図である。
【図４】磁気検出器の出力パルス形状を示すグラフである。
【図５】ガスメータ用表示装置１の電気的構成を示すブロック図である。
【図６】制御手段３０の、各ガスメータ２，４〜６からの第１基準信号の処理手順を示す図である。
【図７】全日使用量の表示状態を示す図である。
【図８】表示スイッチＳＷ２にの表示切換操作によって表示画面９に表示される表示内容を示す図である。
【図９】切換手段２２の切換状態を示す正面図である。
【図１０】内部データの設定順序を示す図である。
【図１１】年月日時刻の設定手順を示す図である。
【図１２】全日使用量の初期値の設定手順を示す図である。
【図１３】入力パルス単位の設定手順を示す図である。
【図１４】分周比の設定手順を示す図である。
【図１５】中間圧補正値の設定手順を示す図である。
【図１６】夜間時間帯開始、終了時刻の設定手順を示す図である。
【図１７】オールクリアの手順を示す図である。
【図１８】データクリアの手順を示す図である。
【図１９】電池電圧低下警告の表示状態を示す図である。
【図２０】自動復帰の表示状態を示す図である。
【図２１】使用禁止札４１を示す正面図である。
【図２２】５台のガスメータ６１〜６５のガス使用量をガスメータ用表示装置１で表示するときの接続状態を示す正面図である。
【符号の説明】
１  ガスメータ用表示装置
２，４，５，６  ガスメータ
３  発信器
７  表示手段
８  カウンタ
９  表示画面
３０  制御手段
３１  信号処理回路
３２  メモリ
３５  キー
【図１】
0004050007.tif 000002
【図２】
0004050007.tif 000003
【図３】
0004050007.tif 000004
【図４】
0004050007.tif 000005
【図５】
0004050007.tif 000006
【図６】
0004050007.tif 000007
【図７】
0004050007.tif 000008
【図８】
0004050007.tif 000009
【図９】
0004050007.tif 000010
【図１０】
0004050007.tif 000011
【図１１】
0004050007.tif 000012
【図１２】
0004050007.tif 000013
【図１３】
0004050007.tif 000014
【図１４】
0004050007.tif 000015
【図１５】
0004050007.tif 000016
【図１６】
0004050007.tif 000017
【図１７】
0004050007.tif 000018
【図１８】
0004050007.tif 000019
【図１９】
0004050007.tif 000020
【図２０】
0004050007.tif 000021
【図２１】
0004050007.tif 000022
【図２２】
0004050007.tif 000023